【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
要求側デバイスにおいて動作可能な方法であって、
ローカルデバイスとのワイヤレスリンクを確立するステップと、
宛先デバイスおよび/またはコンテンツデバイスのためのルーティング情報を要求するルート発見クエリを前記ローカルデバイスに送るステップと、
前記宛先デバイスおよび/または前記コンテンツデバイスへのルートを示す前記ルーティング情報を前記ローカルデバイスから受信するステップと、
リソース発見クエリを前記ルーティング情報において特定された各中間デバイスならびに前記宛先デバイスおよび/または前記コンテンツデバイスに送るステップであって、前記リソース発見クエリが、前記宛先デバイスおよび/または前記コンテンツデバイスに達するための前記ルートに沿った各中間デバイスについてのリソース情報、ならびに前記宛先デバイスおよび/または前記コンテンツデバイスについてのリソース情報を要求する、ステップと、
エンドツーエンドワイヤレスリンクの確立より前に、各デバイスが前記ワイヤレスリンクに割り振ったリソースを示す、各中間デバイス、ならびに前記宛先デバイスおよび/または前記コンテンツデバイスについてのリソース情報を受信するステップと、
各中間デバイス、ならびに前記宛先デバイスおよび/または前記コンテンツデバイスのために受信された前記リソース情報に基づいて、前記要求側デバイスから、前記ローカルデバイスおよび1つまたは複数の中間デバイスを介して、前記宛先デバイスおよび/または前記コンテンツデバイスへのエンドツーエンドワイヤレスリンクを確立するステップであって、前記エンドツーエンドワイヤレスリンクが、2つ以上の中間デバイスの間の複数のリンクを含む、ステップと、
前記要求側デバイスと前記宛先デバイスとの間に情報を送信するために、前記要求側デバイスと前記宛先デバイスとの間の1つまたは複数のルートをアグリゲートするステップと
を含む方法。
【請求項２】
前記要求側デバイスおよび前記ローカルデバイスがモバイルワイヤレスデバイスまたはセルラーワイヤレスデバイスである、請求項1に記載の方法。
【請求項３】
前記ワイヤレスリンクが、前記要求側デバイスで開始し、前記ローカルデバイスで終了する、または前記ローカルデバイスで開始し、前記要求側デバイスで終了する、または、プロトコルスタックの最低レベルである、請求項1に記載の方法。
【請求項４】
更新されたリソース情報を受信するステップであって、前記更新されたリソース情報が、前記要求側デバイスと前記ローカルデバイスとの間の前記ワイヤレスリンクのために使用された少なくとも1つのリソースの量の動的な変化を反映する、ステップ
をさらに含む、請求項1に記載の方法。
【請求項５】
要求側デバイスであって、
1つまたは複数のローカルデバイスと通信するように構成されたワイヤレスネットワークインターフェースと、
前記ワイヤレスネットワークインターフェースに結合された処理回路とを含み、前記処理回路が、
ローカルデバイスとのワイヤレスリンクを確立し、
宛先デバイスおよび/またはコンテンツデバイスのためのルーティング情報を要求するルート発見クエリを前記ローカルデバイスに送り、
前記宛先デバイスおよび/または前記コンテンツデバイスへのルートを示す前記ルーティング情報を前記ローカルデバイスから受信し、
リソース発見クエリを前記ルーティング情報において特定された各中間デバイスならびに前記宛先デバイスおよび/または前記コンテンツデバイスに送り、前記リソース発見クエリが、前記宛先デバイスおよび/または前記コンテンツデバイスに達するための前記ルートに沿った各中間デバイスについてのリソース情報、ならびに前記宛先デバイスおよび/または前記コンテンツデバイスについてのリソース情報を要求し、
エンドツーエンドワイヤレスリンクの確立より前に、各デバイスが前記ワイヤレスリンクに割り振ったリソースを示す、各中間デバイス、ならびに前記宛先デバイスおよび/または前記コンテンツデバイスについてのリソース情報を受信し、
各中間デバイス、ならびに前記宛先デバイスおよび/または前記コンテンツデバイスのために受信された前記リソース情報に基づいて、前記要求側デバイスから、前記ローカルデバイスおよび1つまたは複数の中間デバイスを介して、前記宛先デバイスおよび/または前記コンテンツデバイスへのエンドツーエンドワイヤレスリンクを確立することであって、前記エンドツーエンドワイヤレスリンクが、2つ以上の中間デバイスの間の複数のリンクを含む、確立することをし、
前記要求側デバイスと前記宛先デバイスとの間に情報を送信するために、前記要求側デバイスと前記宛先デバイスとの間の1つまたは複数のルートをアグリゲートする
ように構成される、要求側デバイス。
【請求項６】
ローカルデバイスにおいて動作可能である方法であって、
要求側デバイスと前記ローカルデバイスとの間のワイヤレスリンクに利用可能なリンクごとのリソース情報を要求するリソース発見クエリを前記要求側デバイスから受信するステップと、
既存のリンクおよび前記ワイヤレスリンクの動作をサポートするために、リンクごとに、前記ローカルデバイスが利用可能な1組のリソースからリソースを再割振りするステップと、
前記ワイヤレスリンクを確立するより前に、前記ワイヤレスリンクの動作をサポートするために、前記ローカルデバイスによって割り振られる前記リソースを示すリンクごとのリソース情報を前記要求側デバイスに送るステップと、
宛先デバイスおよび/またはコンテンツデバイスのためのルーティング情報を要求するルート発見クエリを前記要求側デバイスから受信するステップと、
前記宛先デバイスおよび/または前記コンテンツデバイスへのルートを示すルーティング情報を前記要求側デバイスに送るステップと、
前記ローカルデバイスにおいて、前記ローカルデバイスと前記宛先デバイスおよび/または前記コンテンツデバイスとの間のデバイスについてのリソース情報および/またはルーティング情報を再帰的に決定するステップと、
前記リソース情報および/またはルーティング情報をアグリゲートするステップと、
前記アグリゲートされたリソース情報および/またはルーティング情報を前記要求側デバイスに送るステップと
を含む方法。
【請求項７】
前記ワイヤレスリンクが新しいワイヤレスリンクまたは更新されたワイヤレスリンクまたはポイントツーポイントリンクである、請求項1または6に記載の方法。
【請求項８】
リンクごとにリソースを再割振りするステップが、第1のリンクと第2のリンクとの間で前記ローカルデバイスが利用可能な各リソースを分配するステップ、または、前記リンクごとに前記ローカルデバイスが利用可能な前記1組のリソースからリソースを割り振るステップが、前記ローカルデバイスで終わるワイヤレスリンクと、他のデバイスへのトラフィックの転送に専用のワイヤレスリンクとの間にリソースを割り振るステップを含む、請求項6に記載の方法。
【請求項９】
前記リソース情報が、前記ローカルデバイスが前記要求側デバイスとの前記ワイヤレスリンクに割り振るのに利用可能なメモリリソース、処理能力リソース、送信機帯域幅リソース、および/または受信機帯域幅リソースのうちの2つ以上を含む、または、1組のカテゴリの中のあるカテゴリとして表され、前記1組のカテゴリの中の各カテゴリが、前記リンクを確立するために使用される複数のリソースを表し、前記カテゴリによって表される各リソースの量を定義する、請求項6に記載の方法。
【請求項１０】
前記ローカルデバイスが、少なくとも第1のワイヤレスリンクと第2のワイヤレスリンクとの間に前記1組のリソースにおける各リソースを割り振り、前記第1のワイヤレスリンクが、前記要求側デバイスと前記ローカルデバイスとの間にあり、前記第2のワイヤレスリンクが、前記ローカルデバイスとアクセスノードとの間にある、請求項6に記載の方法。
【請求項１１】
前記第1のワイヤレスリンクと前記第2のワイヤレスリンクとの間の第2のリソースの第2の割振りに対して、前記第1のワイヤレスリンクと前記第2のワイヤレスリンクとの間の第1のリソースの第1の割振りが変わる、請求項10に記載の方法。
【請求項１２】
前記1組のリソースにおけるリソースが、前記第1のワイヤレスリンクと第2のワイヤレスリンクとの間で共有される、または、前記1組のリソースにおける少なくとも2つのリソースが、前記第1のワイヤレスリンクと第2のワイヤレスリンクとの間で均等に共有される、請求項10に記載の方法。
【請求項１３】
送られた前記リソース情報に基づいて前記要求側デバイスとの前記ワイヤレスリンクを確立するステップ
をさらに含む、請求項6に記載の方法。
【請求項１４】
ローカルデバイスであって、
データトラフィックを1つまたは複数のローカルデバイスに通信するように構成されたワイヤレスネットワークインターフェースと、
前記ワイヤレスネットワークインターフェースに結合された処理回路とを含み、前記処理回路が、
要求側デバイスと前記ローカルデバイスとの間のワイヤレスリンクに利用可能なリンクごとのリソース情報を要求するリソース発見クエリを前記要求側デバイスから受信し、
既存のリンクおよび前記ワイヤレスリンクの動作をサポートするために、リンクごとに、前記ローカルデバイスが利用可能な1組のリソースからリソースを再割振りし、
前記ワイヤレスリンクを確立するより前に、前記ワイヤレスリンクの動作をサポートするために、前記ローカルデバイスによって割り振られる前記リソースを示すリンクごとのリソース情報を前記要求側デバイスに送り、
宛先デバイスおよび/またはコンテンツデバイスのためのルーティング情報を要求するルート発見クエリを前記要求側デバイスから受信し、
前記宛先デバイスおよび/または前記コンテンツデバイスへのルートを示すルーティング情報を前記要求側デバイスに送り、
前記ローカルデバイスにおいて、前記ローカルデバイスと前記宛先デバイスおよび/または前記コンテンツデバイスとの間のデバイスについてのリソース情報および/またはルーティング情報を再帰的に決定し、
前記リソース情報および/またはルーティング情報をアグリゲートし、
前記アグリゲートされたリソース情報および/またはルーティング情報を前記要求側デバイスに送る
ように構成される、ローカルデバイス。
【請求項１５】
プロセッサによって実行されると請求項1から4または6から13のいずれか一項に記載の方法を前記プロセッサに行わせるプロセッサ実行可能命令を含む、プロセッサ可読記憶媒体。